(57)【要約】【課題】  取付け剛性が更に向上したシートブラケットの取付け構造を提供すること。【解決手段】  本発明のシートブラケットの取付け構造は、シートの取付け位置８が設けられ取付け位置の後方に上方に向かって立ち上がるキックアップ部１０が形成されたフロアパネル６と、シートの取付け位置の側方で上方に向かって延びるサイドパネルと、シートをフロアパネルに取付けるシートブラケット２６とを備え、シートブラケットが、フロアパネルに接合されるフロアパネル接合部２７と、サイドパネルに接合されるサイドパネル接合部３２、３４と、キックアップ部に接合されるキックアップ接合部３６とを備えている。【選択図】      図１
2006082720.tif 000002
【特許請求の範囲】
【請求項１】
乗員用シートを車両に取付けるシートブラケットの取付け構造であって、
前記シートの取付け位置が設けられ該取付け位置の後方に上方に向かって立ち上がるキックアップ部が形成されたフロアパネルと、
前記シートの取付け位置の側方で上方に向かって延びるサイドパネルと、
前記シートを前記フロアパネルに取付けるシートブラケットとを備え、
該シートブラケットが、前記フロアパネルに接合されるフロアパネル接合部と、前記サイドパネルに接合されるサイドパネル接合部と、前記キックアップ部に接合されるキックアップ接合部とを備えている、
ことを特徴とするシートブラケットの取付け構造。
【請求項２】
前記サイドパネル接合部とキックアップ接合部とが直接、接続されている、
請求項１に記載のシートブラケットの取付け構造。
【請求項３】
前記シート取付け位置の下方で前記フロアパネルの下面に沿って前後方向に延びるフロアフレームをさらに備え、
前記シートブラケットが、前記フロアパネルを介して前記フロアフレームに接合されている、
請求項１または２に記載のシートブラケットの取付け構造。
【請求項４】
前記フロアフレームが、後端側に、前記フロアパネルのキックアップ部に沿って上方に向かって折れ曲がる折曲部を有し、
前記シートブラケットのキックアップ接合部が、前記フロアパネルを介して、前記フロアフレームの折曲部に接合されている、
請求項３に記載のシートブラケットの取付け構造。
【請求項５】
前記キックアップ部の後方に配置されたリアフロアパネルの下面を前後方向に延びるリアサイドフレームをさらに備え、
該リアサイドフレームの前端部が、前記シートブラケットのキックアップ接合部に接合されている、
請求項１ないし４のいずれか１項に記載のシートブラケットの取付け構造。
【請求項６】
前記キックアップ部の後方に配置されたリアフロアパネルの下面を前後方向に延びるリアサイドフレームと、該リアサイドフレームの前端部に接続されサスペンション支持部を有する補助フレームとをさらに備え、
前記補助フレームの前端が前記フロアパネルのキックアップ部を介して、前記シートブラケットのキックアップ接合部に接合されている、
請求項１ないし４のいずれか１項に記載のシートブラケットの取付け構造。
【請求項７】
前記サイドパネルが、車幅方向中央で前後に延びるセンタトンネルと、車両の両側で前後方向に延びるサイドシルを含み、
前記シートブラケットが、前記センタトンネルからサイドシルまで延び、
前記シートブラケットの車両幅方向一端側に設けられたサイドパネル接合部が、前記センタトンネルに接合され、
前記シートブラケットの車両幅方向他端側に設けられたサイドパネル接合部が、前記サイドシルに接合されている、
請求項１ないし６のいずれか１項に記載のシートブラケットの取付け構造。
【請求項８】
前記シートに、シートベルトのアンカまたはバックルが取付けられている、
請求項１ないし７のいずれか１項に記載のシートブラケットの取付け構造。
【発明の詳細な説明】
【技術分野】
【０００１】
本発明は、シートブラケットの取付け構造に関するものであり、詳細には、自動車の乗員用シートを車体に取付けるシートブラケットの取付け構造に関する。
【背景技術】
【０００２】
自動車の乗員用シートは、シートブラケットを介して車体側のフロアパネルに取付けられているのが一般的である。シートブラケットの車体への取付剛性を高めるため、シートブラケットをフロアパネルとフロアパネルから立ち上がる側方のパネル（サイドパネル）に跨るように配置し、シートブラケットの車体への取付け点を、フロアパネルとフロアパネルから立ち上がる側方のパネル（サイドパネル）との両者に設けた構成が知られている（例えば、特許文献１参照）。
【０００３】
【特許文献１】特開平７−６１３７３号公報
【発明の開示】
【発明が解決しようとする課題】
【０００４】
しかしながら、上述したような構成のシートブラケットの車体への取付け構造では、取付け剛性が不足する場合がある。
【０００５】
例えば、エアバッグの作動を制御するために、シートに重量センサを取付けている車両がある。このような車両では、シートベルトのアンカ、バックルをフロアパネルに取付けるとシートに取りつけられた重量センサの出力値が不正確になるため、アンカ、バックルがシート本体に取付けられている。このため車両が前面衝突を起こしたとき、シートブラケットの車体への取付け点に荷重が集中するため、上述したようようなシートブラケットの車体への取付け構造であっても、取付け剛性が不足することがある。
【０００６】
このため、取付け剛性が更に向上したシートブラケットの取付け構造が求められている。
【課題を解決するための手段】
【０００７】
本発明によれば、乗員用シートを車両に取付けるシートブラケットの取付け構造であって、前記シートの取付け位置が設けられ該取付け位置の後方に上方に向かって立ち上がるキックアップ部が形成されたフロアパネルと、前記シートの取付け位置の側方で上方に向かって延びるサイドパネルと、前記シートを前記フロアパネルに取付けるシートブラケットとを備え、該シートブラケットが、前記フロアパネルに接合されるフロアパネル接合部と、前記サイドパネルに接合されるサイドパネル接合部と、前記キックアップ部に接合されるキックアップ接合部とを備えている、ことを特徴とするシートブラケットの取付け構造が提供される。
【０００８】
このような構成によれば、シートブラケットが、フロアパネルと、フロアパネルから上方に立ち上がり車両前後方向に延びるサイドパネルと、フロアパネルから立ち上がり車幅方向の延びるキックアップ部とに三次元的に接合部されるので、車体への取付け剛性が高くなる。
【０００９】
本発明の他の好ましい態様によれば、前記サイドパネル接合部とキックアップ接合部とが直接、接続されている。
このような構成によれば、前記サイドパネル接合部とキックアップ接合部とが直接、接続されている、即ち、シートブラケットのサイドパネル接合部とキックアップ接合部とが連続的に形成され且つ車体に接合されているので、サイドパネルとキックアップ部の接合部が補強され、衝突時等にこの部分が剥離することが抑制される。
【００１０】
本発明の他の好ましい態様によれば、前記シート取付け位置の下方で前記フロアパネルの下面に沿って前後方向に延びるフロアフレームをさらに備え、前記シートブラケットが、前記フロアパネルを介して前記フロアフレームに接合されている。
このような構成によれば、シートブラケットは、フロアフレームにも接合されるので、取付け剛性がさらに向上する。
【００１１】
本発明の他の好ましい態様によれば、前記フロアフレームが、後端側に、前記フロアパネルのキックアップ部に沿って上方に向かって折れ曲がる折曲部を有し、前記シートブラケットのキックアップ接合部が、前記フロアパネルを介して、前記フロアフレームの折曲部に接合されている。
このような構成によれば、フロアフレームの折曲部によって、シートブラケットのキックアップ接合部の取付け剛性が向上する。
【００１２】
本発明の他の好ましい態様によれば、前記キックアップ部の後方に配置されたリアフロアパネルの下面を前後方向に延びるリアサイドフレームをさらに備え、該リアサイドフレームの前端部が、前記シートブラケットのキックアップ接合部に接合されている。
このような構成によれば、リアサイドフレームの前端部によって、シートブラケットのキックアップ接合部の取付け剛性が向上する。
【００１３】
本発明の他の好ましい態様によれば、前記キックアップ部の後方に配置されたリアフロアパネルの下面を前後方向に延びるリアサイドフレームと、該リアサイドフレームの前端部に接続されサスペンション支持部を有する補助フレームとをさらに備え、前記補助フレームの前端が前記フロアパネルのキックアップ部を介して、前記シートブラケットのキックアップ接合部に接合されている。
【００１４】
このような構成によれば、サスペンションを支持するための強固な部材にシートブラケットを接合することにより、シートブラケット部に外力が作用した際のシートブラケット部自体の変位を抑制できる。
【００１５】
本発明の他の好ましい態様によれば、前記サイドパネルが、車幅方向中央で前後に延びるセンタトンネルと、車両の両側で前後方向に延びるサイドシルを含み、前記シートブラケットが、前記センタトンネルからサイドシルまで延び、前記シートブラケットの車両幅方向一端側に設けられたサイドパネル接合部が、前記センタトンネルに接合され、前記シートブラケットの車両幅方向他端側に設けられたサイドパネル接合部が、前記サイドシルに接合されている。
【００１６】
このような構成によれば、１つのシートブラケットによって、シートの左右両端を車体に接続できるので、部品点数および作業工程が少なくなり、生産性が向上する。また、シートブラケットが、センタトンネルから車幅方向にサイドシルまで延びるので、車体の剛性も向上する。
【００１７】
本発明の他の好ましい態様によれば、前記シートに、シートベルトのアンカまたはバックルが取付けられている。
【発明の効果】
【００１８】
本発明によれば、取付け剛性が更に向上したシートブラケットの取付け構造が提供される。
【発明を実施するための最良の形態】
【００１９】
以下、添付図面を参照して、本発明の好ましい実施形態のシートブラケットの取付け構造を詳細に説明する。図１は、本発明の好ましい実施形態のシートブラケットの取付け構造を備えた車両の下部構造１を斜め前方上方から見た斜視図であり、図２は、図１の下部構造１を斜め後方下方から見た斜視図であり、図３は、図１のIII−III線に沿った断面図である。
【００２０】
図１に示されているように、この車両の下部構造１は、車幅方向中央で前後に延びるセンタトンネル２と、センタトンネル２によって分割されたほぼ水平な左右のフロアパネル部４、４をと有するフロアパネル６を備えている。この車両は、２人乗りの車両いわゆるツーシータであり、左右のフロアパネル部４、４が、シート（図示せず）が取付けられるシート取付け位置８、８とされている。
【００２１】
フロアパネル６は、フロアパネル部４、４の後端の直ぐ後でセンタトンネル２の頂部の高さ位置付近まで上方に向かって略垂直に立ち上がるキックアップ部１０を形成している。即ち、シート取付け位置８、８の後方にキックアップ部１０が形成されていることになる。
【００２２】
また、フロアパネル６の両側には、車両前後方向に延びるサイドシル１２、１２が取付けられている。サイドシル１２、１２は、センタトンネル２に対向し上方に向かって延びるサイドシルパネル部１４、１４を、車幅方向内側に、備えている。
【００２３】
従って、フロアパネル部４によって構成されるシート取付け部８の車両内方側の後端は、水平方向に延びるフロアパネル４の上面と、車幅方向に延びるキックアップ部１０の前面と、車両前後方向に延びるセンタトンネル２の外面の互いに直交する３面によって三方を囲まれた角部となっている。
【００２４】
又、フロアパネル部４によって構成されるシート取付け部８の車両外方側の後端は、水平方向に延びるフロアパネル４の上面と、車幅方向に延びるキックアップ部１０の前面と、車両前後方向に延びるサイドシルパネル部１４の車幅方向内側面上に立ち上がったフロアパネル部４の端部の内面の互いに直交する３面によって三方を囲まれた角部となっている。
【００２５】
センタトンネル２とサイドシル１２との中間のシート取付け位置８、８の下方には、フロアパネル６の下面に沿ってフロアフレーム１６、１６が配置されている。フロアフレーム１６、１６は、図３に示されているように、車両前後方向に延びる閉断面を構成するようにフロアパネル部４にスポット溶接で接合されている。
【００２６】
各フロアフレーム１６は、後端部にキックアップ部１０に沿って上方に向かってほぼ直角に折れ曲がり折曲部１８を備えている。この折曲部１８は、キックアップ部１０の後面にスポット溶接によって接合されている。
【００２７】
さらに、下部構造１は、キックアップ部１０の上端から後方に向かってほぼ水平に延びるリアフロアパネル２０を備えている。リアフロアパネル２０の両側部には、リアフロアパネル２０の下方を車両前後方向に延びるリアサイドフレーム２２が取付けられている。リアサイドフレーム２２の先端側部分には、図２および図４に示されているように、リアサスペンションの取付部Ｓを備えた、補助フレーム２３が取りつけられている。補助フレーム２３の先端は、キックアップ部１０の下端付近に接続されている。
【００２８】
左右のシート取付け位置８、８の前後端には、それぞれ、前側シートブラケット２４と、後側シートブラケット２６が配置されている。前側および後側シートブラケット２４、２６は、センタトンネル２とのサイドシル１２の間を車幅方向に延びるように配置され、フロアパネル６に接合されている。
【００２９】
図１に示されているように、前側および後側シートブラケット２４、２６の左右両端には、車両前後方向に延びるシートレール３０（図１では、１本のみを図示）が取付け金具２８を介して取付けられている。このシートレール３０には、シートベルトのアンカおよびバックルが接続された乗員用のシート（図示せず）が摺動可能に取付けられる。
【００３０】
前側シートブラケット２４は、断面が略コ字状の部材であり、フロアパネル部４とともに閉断面を構成するようにフロアパネル部４にスポット溶接で接合されている。また、前側シートブラケット２４のフロアフレーム１６と上下方向に重なる部分は、フロアパネル部４を介してフロアフレーム１６にもスポット溶接で接合されている。さらに、前側シートブラケット２４の車両幅方向内方の端部はセンタトンネル２の側壁に、外方の端部はサイドシル１２のサイドパネル１４に、それぞれ、スポット溶接により接合されている。
【００３１】
後側シートブラケット２６は、長方形の板状部材であり、中央の平坦な部分２７がフロアパネル部４に沿って延びるフロアパネル接合部とされている。また、後側シートブラケット２６は、車幅方向（長手方向）の内端部が上方に向かってほぼ直角に折れ曲がるセンタトンネル接合部３２とされ、車幅方向（長手方向）の外端部が上方に向かってほぼ直角に折れ曲がるサイドパネル接合部３４とされ、車両前後方向後側部分は、上方に向かってほぼ直角に折れ曲がるキックアップ接合部３６とされている。
【００３２】
センタトンネル接合部３２とキックアップ接合部３６、および、サイドパネル接合部３４とキックアップ接合部３６は、それぞれ、直接、接合されている。即ち、センタトンネル接合部３２とキックアップ接合部３６、および、サイドパネル接合部３４とキックアップ接合部３６とが連続的して形成されている。
【００３３】
従って、後側シートブラケット２６は、フロアパネル接合部２７とセンタトンネル接合部３２とキックアップ接合部３６の略直交する３面によって構成された内方側の角部分と、中央の平坦な部分とサイドシルパネル接合部３４とキックアップ接合部３６の略直交する３面によって構成された外方側の角部分とを後部に有している。
【００３４】
このような構成を有する後側シートブラケット２６は、フロアパネル接合部２７が、フロアパネル部４に当接し、センタトンネル接合部３２がセンタトンネル２の側壁外面に当接し、キックアップ接合部３６がキックアップ部１０の前面に当接し、サイドパネル接合部３４がサイドシル１２のサイドパネル１４の内側面に当接するようにして、各フロアパネル部４、４の後端に配置されている。
【００３５】
即ち、後側シートブラケット２６は、その内方側の角部分がシート取付け部８の車両内方側の後端の角部に嵌まり、外方側の角部分が、シート取付け部８の車両外方側の角部に嵌まるように、シート取り付け部８に取付けられている。
【００３６】
図５に示されているように、後側シートブラケット２６のフロアパネル接合部２７は、ｘで示すように、フロアパネル部４にスポット溶接で接合されている。さらに、フロアフレーム１６と上下方向に重なる部分は、フロアパネル部４を介して、フロアフレーム１６にスポット溶接により接合されている。
【００３７】
センタトンネル接合部３２は、センタトンネル２の外面に、キックアップ接合部３６はキックアップ部１０の前面に、サイドパネル接合部３４はフロアパネル部４の車幅方向外端の立ち上っている部分を介してサイドシルパネル１４の車幅方向内側面に、それぞれ、スポット溶接で接合されている。
【００３８】
また、図５に示されているように、キックアップ接合部３６の折曲部１８と車体前後方向に重なる部分は、キックアップ部１０を介して、ｘで示すように、折曲部１８にスポット溶接で接合されている。
【００３９】
上述したように、リアサイドフレーム２２の先端部には、キックアップ部１０の下端付近まで延びる補助フレーム２３が車体後方側から接続されている。従って、この補助フレーム２３の下端部は、キックアップ部１０を介して後側シートブラケット２６のキックアップ接合部３６と車体前後方向に重なっている。
【００４０】
本実施形態では、この補助フレーム２３の下端部と後側シートブラケット２６のキックアップ接合部３６とが車体前後方向に重なる部分が、図２に（×１、×２）で示す２カ所でスポット溶接されている。車幅方向外方の（×１）では、補助フレーム２３の下端部とキックアップ接合部３６とがキックアップ部１０を介して、３枚重なった状態でスポット溶接されている（図４）。一方、車幅方向内方の（×２）では、補助フレーム２３の下端部とキックアップ部１０の２枚がスポット溶接されている。
【００４１】
上述したように、補助フレーム２３にはリアサスペンションの取付け部が設けられているため、補助フレーム２３を通して振動が入力され易いため、サイドシル１２等の剛性部材から離れている内側の溶接点（×２）では、キックアップ接合部３６には補助フレーム２３を溶接しないことにより、リアサスペンションからの振動がシートに伝わりにくくなるようにしている。
【００４２】
本発明は上記実施形態に限定されることなく、特許請求の範囲に記載された技術事項の範囲内で種々の変更又は変形が可能である。
【００４３】
上記実施形態では、１枚の後側シートブラケットがセンタトンネルからサイドシルまで延びる構成であったが、後側シートブラケットをセンタトンネル側とサイドシル側の２枚シートブラケットに分割した構成でもよい。
【図面の簡単な説明】
【００４４】
【図１】本発明の好ましい実施形態のシートブラケットの取付け構造を備えた車両の下部構造を斜め前方上方から見た斜視図である。
【図２】図１の下部構造を斜め後方下方から見た斜視図である。
【図３】図１のIII−III線に沿った断面図である。
【図４】図２のIV−IV線に沿った断面図である。
【図５】図２のV−V線に沿った模式的な断面図である。
【符号の説明】
【００４５】
１：下部構造
２：センタトンネル
４：フロアパネル部
６：フロアパネル
８：シート取付け位置
１０：キックアップ部
１２：サイドシル
１６：フロアフレーム
１８：折曲部
２０：リアフロアパネル
２４：前側シートブラケット
２６：後側シートブラケット
【図１】
2006082720.tif 000003
【図２】
2006082720.tif 000004
【図３】
2006082720.tif 000005
【図４】
2006082720.tif 000006
【図５】
2006082720.tif 000007